(57)【要約】      （修正有）【課題】洗浄槽に収容された洗浄液にワークを浸漬し、洗浄液に超音波を放射して、上記ワークのバリを除去するとともに、除去したバリがワークへ再付着するのを防止することができる超音波バリ取り装置を提供する。【解決手段】洗浄槽１に収容された洗浄液２に、ワーク用固定具６に取り付けたワーク４を浸漬し、モーター５により回転させながら、洗浄槽１に設けた超音波振動子７から超音波を放射して、ワーク４のバリを除去し、回転によって起こる水流と、供給口１２から、洗浄液２を供給することで起こる水流により、除去したバリは、洗浄液２とともに洗浄槽１の上面、側面から排出し、回収槽３を経由し、フィルター１１にて回収し、洗浄液２は、ポンプ１０によって導管を通り供給口１２より再度供給を行う。【選択図】図１
2015071134.tif 000002
【特許請求の範囲】
【請求項１】
洗浄液を収容する洗浄槽及び前記洗浄槽内に設けた超音波振動子を有し、前記洗浄槽に収容した洗浄液に前記超音波振動子から超音波を放射して、前記洗浄液に浸漬したワークのバリ取りを行うバリ取り装置にあって、
前記洗浄槽に収容した洗浄液に浸漬したワークに前記超音波振動子から超音波を放射してバリ取りした後の洗浄液を回収するための回収槽と、
前記回収槽に回収した前記洗浄液を濾過して前記洗浄槽に再度供給する循環手段と、
を備えたことを特徴とする超音波バリ取り装置。
【請求項２】
請求項１に記載の超音波バリ取り装置において、
前記洗浄槽内部に、前記洗浄液中で前記ワークを固定した状態で回転させる固定具を備え、
前記回収槽は、前記洗浄槽の周囲の一部に設置され、
前記循環手段は、前記洗浄液が前記回収槽に向かって前記洗浄槽内部を流動するように、前記回収槽と対向する位置から前記洗浄液を供給することを特徴とする超音波バリ取り装置。
【請求項３】
請求項１に記載の超音波バリ取り装置において、
前記洗浄槽内側面と底部に前記洗浄液の供給口を備え、
前記回収槽は、前記洗浄槽上部開口部の外周に沿って設置され、
前記循環手段は、前記洗浄液が前記洗浄槽中央に浸漬したワークに向かって前記洗浄槽内部を流動すると同時に、前記洗浄槽底部から前記洗浄槽上部開口部に設置した前記回収槽に向かって前記洗浄槽内部を流動するように、前記洗浄槽内側面と前記洗浄槽底部から前記洗浄液を供給することを特徴とする超音波バリ取り装置。
【請求項４】
請求項１に記載の超音波バリ取り装置において、
前記循環手段の途中に、バブリング装置を備え、
前記循環手段は、前記洗浄槽内底部から、バブリングした前記洗浄液を供給することを特徴とする超音波バリ取り装置。
【発明の詳細な説明】
【技術分野】
【０００１】
本発明は、ワークに形成されたバリを除去する超音波洗浄に関し、特に、除去したバリがワークに再付着するのを防止する超音波バリ取り装置に関する。
【背景技術】
【０００２】
通常、ワークの成形後には、バリが残っており、前記バリを除去した後、最終製品とされている。
【０００３】
従来から、ワークに残るバリを除去する方法として、洗浄槽に収容された洗浄液にワークを浸漬し、洗浄槽に設けた超音波振動子から、洗浄液に放射した超音波により生じるキャビテーションの作用を利用したワークのバリ取りを行う装置が、下記特許文献１に開示されている。
【０００４】
そして、上記の超音波バリ取り方法は、上部に開口部を有する洗浄槽本体内に設置した超音波振動子から超音波を照射した洗浄液にワークを浸漬して行う際、除去したバリの再付着を防ぐため、洗浄液は、その洗浄槽本体底面から供給し、洗浄槽上部の開口部からオーバーフローすることが記載されている。
【０００５】
しかしながら、上記従来装置によると、洗浄液の比重より重い金属等のバリは、洗浄槽内に停滞したり、底部に沈殿したりするため、それを洗浄槽底面から上部開口部へ、オーバーフローさせるために、洗浄液の供給量を増やしながら時間をかけて洗浄しなければならず、その間に、除去したバリが再びワークに付着するという問題を抱えていた。
【先行技術文献】
【特許文献】
【０００６】
【特許文献１】特開平７−１２４５３２号公報
【発明の概要】
【発明が解決しようとする課題】
【０００７】
本発明は、上記のような従来の除去したバリが再びワークに付着するという欠点に鑑み、超音波を照射した洗浄液にワークを浸漬して行う超音波バリ取りにおいて、除去したバリが、ワークへ再付着するのを防止することを特徴とする超音波バリ取り装置を提供することである。
【課題を解決するための手段】
【０００８】
上記目的を達成するために、本発明の請求項１は、洗浄液を収容する洗浄槽と、前記洗浄槽内に設けた超音波振動子からなり、前記洗浄槽に収容した洗浄液に前記超音波振動子から超音波を放射して、前記洗浄液に浸漬したワークのバリ取りを行い、前記洗浄槽内部に前記洗浄液の供給手段と、前記洗浄槽周辺部に前記洗浄液の回収槽と、回収槽に回収した前記洗浄液は、循環ポンプにより、フィルターを介して再度供給する手段を備え、前記洗浄槽内から前記回収槽へ前記洗浄液を流動することを特徴とする超音波バリ取り装置である。
【０００９】
本発明の請求項２は、回転モーターに接続した前記ワークの固定治具を備え、前記洗浄液を洗浄槽内の対面する側面の一方から供給し、もう一方の側面に設けた前記回収槽へ流動させ、流動する前記洗浄液中にワークを浸漬しながら、前記ワークの前記固定治具に固定した前記ワークを回転させることを特徴とする請求項１の超音波バリ取り装置である。
【００１０】
本発明の請求項３は、前記洗浄槽内側面と底部に前記洗浄液の供給口を設け、前記洗浄液は、前記洗浄槽内側面に設けた供給口から前記洗浄槽中央に浸漬した前記ワークに向かって供給すると同時に、前記洗浄槽内底部に設けた供給口からは、前記洗浄槽上部開口部に向かって供給し、前記洗浄槽上部開口部から前記洗浄液をオーバーフローさせ、前記回収槽へ回収することを特徴とする請求項１の超音波バリ取り装置である。
【００１１】
本発明の請求項４は、前記洗浄槽内側面と底部に前記洗浄液の供給口を設け、前記洗浄液は、前記洗浄槽内側面に設けた供給口から前記洗浄槽中央に浸漬した前記ワークに向かって供給すると同時に、前記洗浄槽内底部に設けた供給口からは、前記洗浄槽上部開口部に向かってバブリングした前記洗浄液を供給し、洗浄槽上部開口部から前記洗浄液をオーバーフローさせ、前記回収槽へ回収することを特徴とする請求項３の超音波バリ取り装置である。
【発明の効果】
【００１２】
以上の説明から明らかなように、本発明にあっては次に列挙する効果が得られる。
（１）請求項１の超音波バリ取り装置によれば、洗浄液を収容する洗浄槽と、前記洗浄槽内に設けた超音波振動子からなり、前記洗浄槽に収容した洗浄液に前記超音波振動子から超音波を放射して、前記洗浄液に浸漬したワークのバリ取りを行い、前記洗浄槽内部に前記洗浄液の供給手段と、前記洗浄槽周辺部に前記洗浄液の回収槽と、回収槽に回収した前記洗浄液は、循環ポンプにより、フィルターを介して再度供給する手段を備え、前記洗浄槽内から前記回収槽へ前記洗浄液を流動することにより、除去したバリが前記ワークへ再付着するのを防止することができる。
【００１３】
（２）請求項２によれば、請求項１の効果に加え、回転モーターに接続した前記ワークの固定治具を備え、前記洗浄液を前記洗浄槽内の対面する側面の一方から供給し、もう一方の側面に設けた前記回収槽へ流動させ、流動する前記洗浄液に前記ワークを浸漬しながら、前記ワークの前記固定治具に固定した前記ワークを回転させることにより、例えば、アルミダイカスト製品のように複雑な形状をした前記ワークでも、超音波をワーク全体に照射でき、しかも、流動する前記洗浄液を前記ワーク全体にあてることにより、除去したバリが前記ワークへ再付着するのを防止することができる。
【００１４】
（３）請求項３によれば、請求項１の効果に加え、前記洗浄槽内側面と底部に前記洗浄液の供給口を設け、前記洗浄液は、前記洗浄槽内側面に設けた供給口から前記洗浄槽の中央に浸漬した前記ワークに向かって供給すると同時に、前記洗浄槽内底部に設けた供給口からは、前記洗浄槽上部開口部に向かって供給し、前記洗浄槽上部開口部からオーバーフローさせ、前記回収槽へ回収することにより、除去したバリが前記ワークへ再付着するのを防止することができる。
【００１５】
（４）請求項４によれば、請求項１の効果に加え、前記洗浄槽内側面と底部に前記洗浄液の供給口を設け、前記洗浄液は、前記洗浄槽内側面に設けた供給口から前記洗浄槽中央に浸漬した前記ワークに向かって供給すると同時に、前記洗浄槽内底部に設けた供給口からは、前記洗浄槽上部開口部に向かってバブリングした前記洗浄液を供給し、前記洗浄槽上部開口部からオーバーフローさせ、前記回収槽へ回収することにより、除去したバリが前記ワークへ再付着するのを防止することができる。
【図面の簡単な説明】
【００１６】
【図１】本実施形態におけるバリ取り装置の概略を示すブロック図である。
【図２】本実施形態におけるバリ取り装置の概略を示すブロック図である。
【図３】本実施形態におけるバリ取り装置の概略を示すブロック図である。
【発明を実施するための形態】
【００１７】
以下、本発明の実施形態を図１、２、３に基づいて説明する。
【実施例１】
【００１８】
図１は、本発明の超音波バリ取り装置の実施例１の概略図であり、洗浄槽１に収容した洗浄液２に、洗浄槽１底部に設けた超音波振動子７から超音波を放射して、洗浄液２に浸漬したワーク４のバリ取りを行うようになっている。
【００１９】
洗浄槽１の周囲の一部に、回収槽３が設けられ、回収槽３に向かって洗浄槽１内部を流動するように、回収槽３と対向する位置から洗浄液２を供給する。回収槽３が設けられた洗浄槽１の側面部には、洗浄液２が洗浄槽１から回収槽３へと通る排出口１３が設けられ、洗浄槽1内の洗浄液２を、排出口１３より回収槽３へ排出するようになっている。
【００２０】
回収槽３に回収した洗浄液２は、回収槽３の排出口１４に接続した導管を通って、循環ポンプ１０により、再度供給口１２から供給するようになっている。前記導管の途中には、フィルター１１が設けられており、洗浄液２中の除去したバリを回収するようになっている。
【００２１】
ワーク４は、ワーク用固定具６に固定して洗浄液２中に浸漬し、洗浄槽１に設けた超音波振動子７から有機溶剤、水、アルカリ洗浄液等の洗浄液２へ周波数２５〜４０kHzの超音波を放射することによって発生したキャビテーションと音圧効果によって、ワーク４のバリ取りを行う。さらに、ワーク４を固定したワーク用固定具６は、モーター５によって回転するようになっており、アルミダイカスト製品のような複雑形状をしたワーク４でも、超音波を全体に放射でき、かつ、流動する洗浄液２をワーク４全体に当てることができる。
【００２２】
超音波によって除去されたワーク４のバリは、モーター５によるワーク４の回転と、洗浄液２が、洗浄槽１内を供給口１２から回収槽３に向かって流動することで、洗浄液２とともに効率良く回収槽３へ回収され、その後、回収槽３の排出口１４から、排出口１４に接続した導管を通り、ポンプ１０によって排出され、その導管の途中に設置したフィルター１１にて回収される。除去したバリを回収した洗浄液２は、再度供給口１２から供給することによって、除去したバリがワーク４へ再付着するのを防止することができる。
【実施例２】
【００２３】
図２は、本発明の超音波バリ取り装置の実施例２の概略図であり、実施例１と同様に、洗浄槽１に収容した洗浄液２に、洗浄槽１底部に設けた超音波振動子７から超音波を放射して、洗浄液２に浸漬したワーク４のバリ取りを行うようになっている。
【００２４】
洗浄槽１の上部周辺部に、回収槽３が設けられ、洗浄槽１側面と底部に洗浄液２の供給口１２が設けられ、洗浄槽１側面に備えた供給口１２からは、ワーク４を浸漬した洗浄槽中央部に向かって洗浄液２を供給すると同時に、洗浄槽１底部に備えた供給口１２からは洗浄槽１上部開口部に向かって洗浄液２を流動することにより、洗浄槽１上部開口部から洗浄液２をオーバーフローすることで、回収槽３へ回収するようになっている。
【００２５】
回収槽３に回収した洗浄液２は、回収槽３の排出口１４に接続した導管を通って、循環ポンプ１０により、再度供給口１２から供給するようになっている。導管の途中に、フィルター１１が設けられており、洗浄液２中の除去したバリを回収するようになっている。
【００２６】
ワーク４は、ワーク用固定具６に固定して洗浄液２中に浸漬し、洗浄槽１に設けた超音波振動子７から有機溶剤、水、アルカリ洗浄液等の洗浄液２へ周波数２５〜４０kHzの超音波を放射することによって、発生したキャビテーションと音圧効果によって、ワーク４のバリ取りを行う。さらに、洗浄槽１中央に浸漬したワーク４に向かって、洗浄液２を供給すると同時に、洗浄槽１底部に備えた供給口１２からは洗浄槽１上部開口部に向かって洗浄液２を流動することにより、アルミダイカスト製品のような複雑形状をしたワーク４でも、超音波を全体に放射でき、かつ、流動する洗浄液２をワーク４全体に当てることができる。
【００２７】
超音波によって除去されたワーク４のバリは、洗浄槽１側面から洗浄槽１中央に浸漬したワーク４に向かって洗浄液２を供給すると同時に、洗浄槽１底部から、洗浄槽１上部開口部に向かって洗浄液２を流動することで、効率良く回収槽３へ回収され、その後、回収槽３の排出口１４から、洗浄液２とともに排出口１４に接続した導管を通り、ポンプ１０によって排出され、その導管の途中に設置したフィルター１１にて回収される。除去したバリを回収した洗浄液２は、再度供給口１２から供給することによって、除去したバリがワーク４へ再付着するのを防止することができる。
【実施例３】
【００２８】
図３は、本発明の超音波バリ取り装置の実施例３の概略図であり、洗浄槽１に収容した洗浄液２に、洗浄槽１底部に設けた超音波振動子７から超音波を放射して、洗浄液２に浸漬したワーク４のバリ取りを行うようになっている。
【００２９】
洗浄槽１の上部周辺部に、回収槽３が設けられ、洗浄槽１側面と底部に洗浄液２の供給口１２が設けられ、洗浄槽１側面に備えた供給口１２からは、ワーク４を浸漬した洗浄槽中央部に向かって洗浄液２を供給すると同時に、洗浄槽１底部に備えた供給口１２からは洗浄槽１上部開口部に向かってバブリング装置１６によって、バブリングした洗浄液２を供給することにより、洗浄槽１上部開口部から洗浄液２をオーバーフローすることで、回収槽３へ回収するようになっている。
【００３０】
回収槽３に回収した洗浄液２は、回収槽３の排出口１４に接続した導管を通って、循環ポンプ１０により、再度供給口１２から供給するようになっている。導管の途中に、フィルター１１が設けられており、洗浄液２中の除去したバリを回収するようになっている。
【００３１】
ワーク４は、ワーク用固定具６に固定して洗浄液２中に浸漬し、洗浄槽１に設けた超音波振動子７から有機溶剤、水、アルカリ洗浄液等の洗浄液２へ周波数２５〜４０kHzの超音波を放射することによって、発生したキャビテーションと音圧効果によって、ワーク４のバリ取りを行う。さらに、洗浄槽１中央に浸漬したワーク４に向かって、洗浄液２を供給すると同時に、洗浄槽１底部に備えた供給口１２からは洗浄槽１上部開口部に向かってバブリングした洗浄液２を供給することにより、アルミダイカスト製品のような複雑形状をしたワーク４でも、超音波を全体に放射でき、かつ、流動する洗浄液２をワーク４全体に当てることができる。
【００３２】
超音波によって除去されたワーク４のバリは、洗浄槽１側面から洗浄槽１中央に浸漬したワーク４に向かって洗浄液２を供給すると同時に、洗浄槽１底部から、洗浄槽１上部開口部に向かってバブリングした洗浄液２を供給することで、効率良く回収槽３へ回収され、その後、回収槽３の排出口１４から、洗浄液２とともに排出口１４に接続した導管を通り、ポンプ１０によって排出され、その導管の途中に設置したフィルター１１にて回収される。除去したバリを回収した洗浄液２は、再度供給口１２から供給することによって、除去したバリがワーク４へ再付着するのを防止することができる。
【符号の説明】
【００３３】
１  洗浄槽
２  洗浄液
３  回収槽
４  ワーク
５  モーター
６  ワーク用固定具
７  超音波振動子
８  超音波発振及び制御装置
９  流量調整弁
１０  循環ポンプ
１１  フィルター
１２  洗浄槽側面の洗浄液の供給口
１３  洗浄槽の排出口
１４  回収槽の排出口
１５  モーター回転制御装置
１６  バブリング装置
【図１】
2015071134.tif 000003
【図２】
2015071134.tif 000004
【図３】
2015071134.tif 000005